(57)【特許請求の範囲】
【請求項１】
発光素子を配線板に異方性導電接続してなる発光装置の製造方法において、以下の工程（Ａ）及び（Ｂ）：
工程（Ａ）
発光素子と、該発光素子が接続されるべき配線板との間に、熱硬化性樹脂組成物、導電粒子及び光反射性絶縁粒子を含有する光反射性異方性導電接着剤を配置する工程；  及び
工程（Ｂ）
配線板に対して発光素子を、押圧面のショアＡゴム硬度（ＪＩＳ  Ｋ６２５３）が４０以上９０未満であるエラストマーヘッドで加熱加圧することにより異方性導電接続を行う工程
を有する製造方法。
【請求項２】
光反射性異方性導電接着剤の波長４５０ｎｍの光に対する分光反射率（ＪＩＳ  Ｋ７１０５）が、３０％以上である請求項１記載の製造方法。
【請求項３】
光反射性絶縁粒子が、酸化ケイ素、酸化チタン、窒化ホウ素、酸化亜鉛及び酸化アルミニウムからなる群より選択される少なくとも一種の無機粒子である請求項１又は２記載の製造方法。
【請求項４】
光反射性絶縁粒子の平均粒子径が、１５０ｎｍ〜５５０ｎｍである請求項１〜３のいずれかに記載の製造方法。
【請求項５】
光反射性絶縁粒子の屈折率（ＪＩＳ  Ｋ７１４２）が、熱硬化性樹脂組成物の硬化物の屈折率（ＪＩＳ  Ｋ７１４２）よりも大きい請求項１〜４のいずれかに記載の製造方法。
【請求項６】
光反射性絶縁粒子が、鱗片状又は球状銀粒子の表面を絶縁性樹脂で被覆した樹脂被覆金属粒子である請求項１〜５のいずれかに記載の製造方法。
【請求項７】
熱硬化性樹脂組成物中における光反射性絶縁粒子の配合量が、１〜５０体積％である請求項１〜６のいずれかに記載の製造方法。
【請求項８】
熱硬化性樹脂組成物が、エポキシ樹脂と酸無水物系硬化剤とを含有する請求項１〜７のいずれかに記載の製造方法。
【請求項９】
エラストマーヘッドの押圧面のショアＡゴム硬度（ＪＩＳ  Ｋ６２５３）が、６５以上８０以下である請求項１〜８のいずれかに記載の製造方法。
【請求項１０】
更に、以下の工程（Ｃ）
（Ｃ）配線板上に異方性導電接続された発光素子を、透明樹脂を用いて封止する工程
を有する請求項１〜９のいずれかに記載の製造方法。
【請求項１１】
導電粒子が、金属材料で被覆されているコア樹脂粒子と、その表面に酸化チタン粒子、酸化亜鉛粒子又は酸化アルミニウム粒子から選択された少なくとも一種の無機粒子から形成された光反射層とからなる光反射性導電粒子である請求項１〜１０のいずれかに記載の製造方法。
【請求項１２】
熱硬化性樹脂組成物１００質量部に対する光反射性導電粒子の配合量が、１〜１００質量部である請求項１１記載の製造方法。
【請求項１３】
請求項１〜１２のいずれかに記載の製造方法により製造された発光装置。
【請求項１４】
発光素子が、発光ダイオードである請求項１３記載の発光装置。
【発明の詳細な説明】
【技術分野】
【０００１】
本発明は、ＬＥＤ素子等の発光素子が配線板に異方性導電接続されてなる発光装置の製造方法に関する。
【背景技術】
【０００２】
ＬＥＤ素子を配線板に実装する場合、金ワイヤーボンディング法により接続することが行われていたが、金ワイヤーによる接続強度は十分とは言えず、また、封止樹脂との間の熱膨張係数の差が大きいことから接続信頼性が低いという問題があった。さらに、金ワイヤーの光吸収により光取り出し効率（発光効率）の低下という問題や、ＬＥＤ素子の配線板への固定に使用するダイボンドの硬化速度が遅いことから実装タクトタイムの増大という問題があった。
【０００３】
そこで、接続信頼性及びタクトタイムの改善を目的に、加熱加圧用の金属ヘッドを備えたボンダーを用いて、異方性導電接着剤を介してＬＥＤ素子を配線板にフリップチップ実装することが一般的に行われているが、その際、異方性導電接着剤中の導電粒子やバインダー樹脂が、発光素子が発した光を吸収してしまうため、発光効率向上のためにＬＥＤ素子の内部から下方（配線板側）に出射した光を上方に取り出すべく、配線板に面した側のＬＥＤ素子表面の一対の電極間に光反射層を設けることが提案されている（特許文献１）。
【先行技術文献】
【特許文献】
【０００４】
【特許文献１】特開平１１−１６８２３５号公報
【発明の概要】
【発明が解決しようとする課題】
【０００５】
しかしながら、そのような光反射層は、ＬＥＤ素子の表面の一対の電極と絶縁するように金属蒸着法などにより設けなければならず、製造上、コストアップが避けられないという問題があった。また、加熱加圧ヘッドでフリップチップ実装を行った場合、配線板や発光素子の接合面の凹凸により、発光素子に対する加熱加圧ヘッドの押圧の面内均一性が低下し、発光素子に亀裂や欠けが生ずるという問題があった。
【０００６】
本発明の目的は、以上の従来の技術の問題点を解決することであり、発光ダイオード（ＬＥＤ）素子等の発光素子を配線板に異方性導電接着剤を用いてフリップチップ実装して発光装置を製造する際に、製造コストの増大を招くような光反射層をＬＥＤ素子に設けなくても、発光効率を改善でき、しかも発光素子に亀裂や欠けが生じないように製造することである。
【課題を解決するための手段】
【０００７】
本発明者らは、異方性導電接着剤そのものに光反射機能を持たせれば、発光効率を低下させないようにできるとの仮定の下、鋭意研究の結果、異方性導電接着剤に、光反射性絶縁粒子を配合することにより、発光素子の発光効率を低下させないようにできることを見出した。また、本発明者らは、ボンダーの加熱加圧ヘッドの材質を金属からエラストマーに変更することにより、一般的には接続信頼性を損なうことなく発光素子に亀裂や欠けを発生させないように押圧することができるが、異方性導電接着剤に上述したような光反射性絶縁粒子を配合すると、発光素子に亀裂や欠けが発生する場合があることを知見し、更にそのような亀裂や欠けの発生を防止するには、使用すべきエラストマーとして特定のゴム硬度のものを使用すればよいことを見出し、本発明を完成させるに至った。
【０００８】
即ち、本発明は、発光素子を配線板に異方性導電接続してなる発光装置の製造方法において、以下の工程（Ａ）及び（Ｂ）：
工程（Ａ）
発光素子と、該発光素子が接続されるべき配線板との間に、熱硬化性樹脂組成物、導電粒子及び光反射性絶縁粒子を含有する光反射性異方性導電接着剤を配置する工程；  及び
工程（Ｂ）
配線板に対して発光素子を、押圧面のショアＡゴム硬度（ＪＩＳ  Ｋ６２５３）が４０以上９０未満であるエラストマーヘッドで加熱加圧することにより異方性導電接続を行う工程
を有する製造方法を提供する。なお、この製造方法は、更に、以下の工程（Ｃ）
工程（Ｃ）
配線板上に異方性導電接続された発光素子を、透明樹脂を用いて封止する工程
を有していてもよい。
【０００９】
また、本発明は、前記製造方法により製造された発光装置を提供する。
【発明の効果】
【００１０】
本発明の発光装置の製造方法において用いる光反射性異方性導電接着剤は、光反射性絶縁粒子を含有するため、発光素子が発する光を反射することができる。したがって、本発明の発光装置の製造方法は、発光素子の発光効率を低下させることなく、発光素子を配線板に異方性導電接続することができる。
【００１１】
また、本発明の発光装置の製造方法において用いる加熱加圧ヘッドは、最適な硬度に設定されたエラストマーヘッドであるため、配線板に対して発光素子を最適な押圧で均一に加圧加熱することができる。したがって、本発明の発光装置の製造方法は、光反射性絶縁粒子を含有する光反射性異方性導電接着剤を用いて異方性導電接続する際に、発光素子に亀裂や欠けが発生することを防止することができる。
【図面の簡単な説明】
【００１２】
【図１Ａ】本発明の製造方法の工程説明図である。
【図１Ｂ】本発明の製造方法の工程説明図である。
【図１Ｃ】本発明の製造方法の工程説明図である。
【図１Ｄ】本発明で製造された発光装置の概略断面図である。
【図１Ｅ】本発明で製造された発光装置の概略断面図である。
【図２Ａ】本発明に用いる光反射性導電粒子の断面図である。
【図２Ｂ】本発明に用いる多層化光反射性導電粒子の断面図である。
【発明を実施するための形態】
【００１３】
本発明は、発光素子を配線板に異方性導電接続してなる発光装置の製造方法であり、発光素子と、該発光素子が接続されるべき配線板との間に、熱硬化性樹脂組成物、導電粒子及び光反射性絶縁粒子を含有する光反射性異方性導電接着剤を配置する工程（Ａ）と、配線板に対して発光素子を、押圧面のショアＡゴム硬度（ＪＩＳ  Ｋ６２５３）が４０以上９０未満であるエラストマーヘッドで加熱加圧することにより異方性導電接続を行う工程（Ｂ）とを有する。更に、配線板上に異方性導電接続された発光素子を、透明樹脂を用いて封止する工程（Ｃ）を有してもよいものである。
【００１４】
以下、図面を参照しつつ工程順に本発明を具体的に説明する。なお、各図中、同一符号は同一又は同等の構成要素を表している。
【００１５】
＜工程（Ａ）＞
まず、図１Ａに示すように、発光素子１と、発光素子１が接続されるべき配線板２との間に、通常、互いに接続されるべき発光素子１の電極１ａと配線板の電極２ａとを互いに対向させた間に、光反射性異方性導電接着剤３をその形態（液状、ペースト状、フィルム状等）などに応じて公知の手法、例えば、スクリーン印刷法、パッド転写法、ディスペンス塗布法等により配置する。具体的には、配線板２の少なくとも電極２ａ上に光反射性異方性導電接着剤３を仮貼着し、その光反射性異方性導電接着剤３を挟み込むように発光素子１の電極１ａを配線板２の電極２ａに対向させる。
【００１６】
なお、これらの電極１ａと電極２ａとのいずれか又は双方に、接続信頼性向上のために公知の手法によりバンプを形成していてもよい。
【００１７】
本発明で使用する発光素子１としては、従来の発光装置において使用されているものと同様の発光素子を使用することができ、例えば、発光ダイオード素子（ＬＥＤ素子）、レーザーダイオード素子（ＬＤ素子）等が挙げられる。
【００１８】
本発明で使用する配線板２としても、従来の発光装置において使用されているものと同様の配線板を使用することができ、例えば、シリコン半導体基板、ガラス配線板、セラミック配線板等を使用することができる。また、配線板２の配線の素材、Ｌ／Ｓピッチ等についても従来公知の構成を採用することができる。
【００１９】
工程（Ａ）で使用する光反射性異方性導電接着剤３は、発光素子１と配線板２との間の異方性導電接続に寄与するだけでなく発光素子１の発した光を反射して発光効率の向上にも寄与するものであり、熱硬化性樹脂組成物３ａと、その中に分散されている導電粒子３ｂと光反射性絶縁粒子３ｃとを含有する。
【００２０】
光反射性絶縁粒子３ｃは、異方性導電接着剤に入射した光を外部に反射し、異方性導電接着剤に光反射性を付与するものである。
【００２１】
一般的に、光反射性を有する粒子には、金属粒子、金属粒子を樹脂被覆した粒子、自然光の下で灰色から白色である金属酸化物、金属窒素化物、金属硫化物等の無機粒子、樹脂コア粒子を無機粒子で被覆した粒子、粒子の材質によらず、その表面に凹凸がある粒子が含まれる。しかし、これらの粒子の中で、本発明で使用できる光反射性絶縁粒子には、絶縁性を示すことが求められている関係上、金属粒子は含まれない。また、金属酸化物粒子のうち、ＩＴＯのように導電性を有するものは使用できない。また、一般に、屈折率が１．４以上のものを使用することが好ましい。
【００２２】
このような光反射性絶縁粒子３ｃの好ましい具体例としては、酸化ケイ素（ＳｉＯ２）、酸化チタン（ＴｉＯ２）、窒化ホウ素（ＢＮ）、酸化亜鉛（ＺｎＯ）、酸化アルミニウム（Ａｌ２Ｏ３）、チタン酸バリウム、チタン酸ストロンチウム、硫化亜鉛、鉛白、硫酸バリウム、酸化マグネシウム、硫化亜鉛、炭酸カルシウム、水酸化アルミニウム、雲母、粘度鉱物等が挙げられる。これらの光反射性絶縁粒子３ｃは、２種類以上併用することができる。ここで、光反射性異方性導電接着剤３により高い反射率を付与するためには、これらの光反射性絶縁粒子３ｃの中でも、その屈折率が使用する熱硬化性樹脂組成物３ａの屈折率よりも高いものを好ましく使用でき、具体的には、酸化チタン（ＴｉＯ２）、窒化ホウ素（ＢＮ）、酸化亜鉛（ＺｎＯ）及び酸化アルミニウム（Ａｌ２Ｏ３）等を好ましく使用でき、特に、酸化チタン（ＴｉＯ２）を好ましく使用できる。
【００２３】
光反射性絶縁粒子３ｃの形状としては、球状、鱗片状、不定形状、針状等でもよいが、反射効率を考慮すると、球状、鱗片状が好ましい。また、その平均粒径としては、粒径が入射波長の１／２のときに散乱効率が最も高くなるＭｉｅ領域となり、粒子への入射光がロス無く反射されること及び可視光波長が３８０〜７８０ｎｍであることを考慮すると、好ましくは１５０ｎｍ〜５００ｎｍ、より好ましくは１９０〜３９０ｎｍである。この場合、発光素子の発光波長に応じて粒径を決定することが好ましい。例えば、青色ＬＥＤ素子を使用する場合には、発光波長が４００〜５５０ｎｍに分布するので、好ましい平均粒径は２００〜２７５ｎｍとなる。なお、鱗片状粒子の場合の粒径は、長径を基準とすることが好ましい。ここで、「平均」粒径は、レーザー回折式粒度分布測定装置（例えば、ＳＡＬＤ−２０００Ｊ、島津製作所製）で測定した平均粒径を意味する。
【００２４】
本発明において、以上説明した無機粒子を、光反射性絶縁粒子として使用してもよいが、鱗片状又は球状金属粒子の表面を透明な絶縁性樹脂で被覆した樹脂被覆金属粒子を光反射性絶縁粒子として使用してもよい。ここで、金属粒子としては、ニッケル、銀、アルミニウム等を挙げることができる。粒子の形状としては、無定形、球状、鱗片状、針状等を挙げることができるが、中でも、光拡散効果の点から球状、全反射効果の点から鱗片状の形状が好ましい。特に、好ましいものは、光の反射率の点から鱗片状銀粒子である。これらの金属粒子は、絶縁性樹脂で被覆される前に、予めシランカップリング剤でγ−グリシドキシ基やビニル基等が金属表面に導入されていることが好ましい。
【００２５】
光反射性絶縁粒子としての樹脂被覆金属粒子の大きさは、形状によっても異なるが、一般に大きすぎると、異方性導電粒子による接続を阻害するおそれがあり、小さすぎると光を反射しにくくなるので、球状の場合には、平均粒径が、好ましくは０．１〜３０μｍ、より好ましくは０．２〜１０μｍである。また、鱗片状の場合には、上記と同様の観点から、平均長径が好ましくは０．１〜１００μｍ、より好ましくは１〜５０μｍであり、平均厚みが好ましくは０．０１〜１０μｍ、より好ましくは０．１〜５μｍである。ここで、光反応性粒子の大きさは、絶縁被覆されている場合には、その絶縁被覆も含めての大きさである。
【００２６】
このような樹脂被覆金属粒子における被覆用の樹脂としては、種々の絶縁性樹脂を使用することができる。機械的強度や透明性等の点からアクリル系樹脂の硬化物を好ましく利用することができる。好ましくは、ベンゾイルパーオキサイド等の有機過酸化物などのラジカル開始剤の存在下で、メタクリル酸メチルとメタクリル酸２−ヒドロキシエチルとをラジカル共重合させた樹脂を挙げることができる。この場合、２，４−トリレンジイソシアネート等のイソシアネート系架橋剤で架橋されていることがより好ましい。
【００２７】
このような樹脂被覆金属粒子は、例えば、トルエンなどの溶媒中に金属粒子とシランカップリング剤とを投入し、室温で約１時間攪拌した後、ラジカルモノマーとラジカル重合開始剤と、必要に応じて架橋剤とを投入し、ラジカル重合開始温度に加温しながら撹拌することにより製造することができる。
【００２８】
以上に説明した光反射性絶縁粒子３ｃの光反射性異方性導電接着剤中の配合量は、少なすぎると十分な光反射を実現することができず、また多すぎると、併用している導電粒子に基づく接続が阻害されるので、熱硬化性樹脂組成物中に、好ましくは１〜５０体積％、より好ましくは２〜２５体積％、さらに好ましくは３〜２０体積％である。
【００２９】
本発明に用いる光反射性異方性導電接着剤３を構成する導電粒子３ｂとしては、異方性導電接続用の従来の導電粒子において用いられている金属の粒子を利用することができる。例えば、金、ニッケル、銅、銀、半田、パラジウム、アルミニウム、それらの合金、それらの多層化物（例えば、ニッケルメッキ／金フラッシュメッキ物）等を挙げることができる。中でも、金、ニッケル、銅は、導電粒子を茶色としてしまうことから、本発明の効果を他の金属材料よりも享受することができる。
【００３０】
また、導電粒子として、樹脂粒子を金属材料で被覆した金属被覆樹脂粒子を使用することができる。このような樹脂粒子としては、スチレン系樹脂粒子、ベンゾグアナミン樹脂粒子、ナイロン樹脂粒子などが挙げられる。樹脂粒子を金属材料で被覆する方法としても従来公知の方法を採用することができ、無電解メッキ法、電解メッキ法等を利用することができる。また、被覆する金属材料の層厚は、良好な接続信頼性を確保するに足る厚さであり、樹脂粒子の粒径や金属の種類にもよるが、通常、０．１〜３μｍである。
【００３１】
また、樹脂粒子の粒径は、小さすぎると導通不良が生じ、大きすぎるとパターン間ショートが生じる傾向があるので、好ましくは１〜２０μｍ、より好ましくは３〜１０μｍ、特に好ましくは３〜５μｍである。この場合、コア粒子１の形状としては球形が好ましいが、フレーク状、ラクビーボール状であってもよい。
【００３２】
好ましい金属被覆樹脂粒子は球状形状であり、その粒径は大きすぎると接続信頼性の低下となるので、好ましくは１〜２０μｍ、より好ましくは３〜１０μｍである。
【００３３】
本発明においては、上述したような導電粒子に対し光反射性を付与してなる光反射性導電粒子を、導電粒子として使用することが好ましい。図２Ａ及び図２Ｂは、このような光反射性導電粒子２００及び多層化光反射性導電粒子３００の断面図である。まず、図２Ａの光反射性導電粒子から説明する。
【００３４】
光反射性導電粒子２００は、金属材料で被覆されているコア粒子２１と、その表面に酸化チタン（ＴｉＯ２）粒子、酸化亜鉛（ＺｎＯ）粒子又は酸化アルミニウム（Ａｌ２Ｏ３）粒子から選択された少なくとも一種の無機粒子２２から形成された光反射層２３とから構成される。酸化チタン粒子、酸化亜鉛粒子又は酸化アルミニウム粒子は、太陽光の下では白色を呈する無機粒子である。従って、それらから形成された光反射層２３は白色〜灰色を呈する。白色〜灰色を呈しているということは、可視光に対する反射特性の波長依存性が小さく、且つ可視光を反射しやすいことを意味する。
【００３５】
なお、酸化チタン粒子、酸化亜鉛粒子又は酸化アルミニウム粒子のうち、硬化した異方性導電接着剤の熱硬化性樹脂組成物の硬化物の光劣化が懸念される場合には、光劣化に対して触媒性がなく、屈折率も高い酸化亜鉛を好ましく使用することができる。
【００３６】
コア粒子２１は、異方性導電接続に共されるものであるので、その表面が金属材料で構成されている。ここで、表面が金属材料で被覆されている態様としては、前述したように、コア粒子２１そのものが金属材料である態様、もしくは樹脂粒子の表面が金属材料で被覆された態様が挙げられる。
【００３７】
無機粒子２２から形成された光反射層２３の層厚は、コア粒子２１の粒径との相対的大きさの観点からみると、コア粒子２１の粒径に対し、小さすぎると反射率の低下が著しくなり、大きすぎると導通不良が生ずるので、好ましくは０．５〜５０％、より好ましくは１〜２５％である。
【００３８】
また、光反射性導電粒子２００において、光反射層２３を構成する無機粒子２２の粒径は、小さすぎると光反射現象が生じ難くなり、大きすぎると光反射層の形成が困難となる傾向があるので、好ましくは０．０２〜４μｍ、より好ましくは０．１〜１μｍ、特に好ましくは０．２〜０．５μｍである。この場合、光反射させる光の波長の観点からみると、無機粒子２２の粒径は、反射させるべき光（即ち、発光素子が発する光）が透過してしまわないように、その光の波長の５０％以上であることが好ましい。この場合、無機粒子２２の形状としては無定形、球状、鱗片状、針状等を挙げることができるが、中でも、光拡散効果の点から球状、全反射効果の点から鱗片状の形状が好ましい。
【００３９】
図２Ａの光反射性導電粒子２００は、大小の粉末同士を物理的に衝突させることにより大粒径粒子の表面に小粒径粒子からなる膜を形成させる公知の成膜技術（いわゆるメカノフュージョン法）により製造することができる。この場合、無機粒子２２は、コア粒子２１の表面の金属材料に食い込むように固定され、他方、無機粒子同士が融着固定されにくいから、無機粒子のモノレイヤーが光反射層２３を構成する。従って、図２Ａの場合、光反射層２３の層厚は、無機粒子２２の粒径と同等乃至はわずかに薄くなると考えられる。
【００４０】
次に、図２Ｂの多層化光反射性導電粒子３００について説明する。この多層化光反射性導電粒子３００においては、光反射層２３が接着剤として機能する熱可塑性樹脂２４を含有し、この熱可塑性樹脂２４により無機粒子２２同士も固定され、無機粒子２２が多層化（例えば２層あるいは３層に多層化）している点で、図２Ａの光反射性導電粒子２００と相違する。このような熱可塑性樹脂２４を含有することにより、光反射層２３の機械的強度が向上し、無機粒子の剥落などが生じにくくなる。
【００４１】
熱可塑性樹脂２４としては、環境低負荷を意図してハロゲンフリーの熱可塑性樹脂を好ましく使用することができ、例えば、ポリエチレン、ポリプロピレン等のポリオレフィンやポリスチレン、アクリル樹脂等を好ましく使用することができる。
【００４２】
このような多層化光反射性導電粒子３００も、メカノフュージョン法により製造することができる。メカノフュージョン法に適用する熱可塑性樹脂２４の粒子径は、小さすぎると接着機能が低下し、大きすぎるとコア粒子に付着しにくくなるので、好ましくは０．０２〜４μｍ、より好ましくは０．１〜１μｍである。また、このような熱可塑性樹脂２４の配合量は、少なすぎると接着機能が低下し、多すぎると粒子の凝集体が形成されるので、無機粒子２２の１００質量部に対し、好ましくは０．２〜５００質量部、より好ましくは４〜２５質量部である。
【００４３】
また、本発明に用いる光反射性異方性導電接着剤３を構成する熱硬化性樹脂組成物３ａとしては、なるべく無色透明なものを使用することが好ましい。異方性導電接着剤中の光反射性絶縁粒子等の光反射効率を低下させず、しかも入射光の光色を代えずに反射させるためである。ここで、無色透明とは、異方性導電接着剤の硬化物が、波長３８０〜７８０ｎｍの可視光に対して光路長１ｃｍの光透過率（ＪＩＳ  Ｋ７１０５に準拠して測定）が８０％以上、好ましくは９０％以上となることを意味する。
【００４４】
本発明に用いる光反射性異方性導電接着剤３において、熱硬化性樹脂組成物３ａの１００質量部に対する導電粒子３ｂの配合量は、少なすぎると導通不良が生じ、多すぎるとパターン間ショートが生ずる傾向があるので、好ましくは１〜１００質量部、より好ましくは１０〜５０質量部、さらに好ましくは１０〜３０質量部である。
【００４５】
本発明に用いる光反射性異方性導電接着剤３を構成する熱硬化性樹脂組成物３ａとしては、従来の異方性導電接着剤や異方性導電フィルムにおいて使用されているものを利用することができる。一般に、このような熱硬化性樹脂組成物は、絶縁性バインダー樹脂に硬化剤を配合したものである。絶縁性バインダー樹脂としては、脂環式エポキシ化合物、複素環系エポキシ化合物及び水素添加エポキシ化合物等を主成分としたエポキシ系樹脂が好ましく挙げられる。
【００４６】
脂環式エポキシ化合物としては、分子内に２つ以上のエポキシ基を有するものが好ましく挙げられる。これらは液状であっても、固体状であってもよい。具体的には、グリシジルヘキサヒドロビスフェノールＡ、３，４−エポキシシクロヘキセニルメチル−３′，４′−エポキシシクロヘキセンカルボキシレート等を挙げることができる。中でも、硬化物にＬＥＤ素子の実装等に適した光透過性を確保でき、速硬化性にも優れている点から、グリシジルヘキサヒドロビスフェノールＡ、３，４−エポキシシクロヘキセニルメチル−３′，４′−エポキシシクロヘキセンカルボキシレートを好ましく使用することができる。
【００４７】
複素環系エポキシ化合物としては、トリアジン環を有するエポキシ化合物を挙げることができ、特に好ましくは１，３，５−トリス（２，３−エポキシプロピル）−１，３，５−トリアジン−２，４，６−（１Ｈ，３Ｈ，５Ｈ）−トリオンを挙げることができる。
【００４８】
水素添加エポキシ化合物としては、先述の脂環式エポキシ化合物や複素環系エポキシ化合物の水素添加物や、その他公知の水素添加エポキシ樹脂を使用することができる。
【００４９】
脂環式エポキシ化合物、複素環系エポキシ化合物及び水素添加エポキシ化合物等は、単独で使用してもよいが、２種以上を併用することができる。また、これらのエポキシ化合物に加えて本発明の効果を損なわない限り、他のエポキシ化合物を併用してもよい。例えば、ビスフェノールＡ、ビスフェノールＦ、ビスフェノールＳ、テトラメチルビスフェノールＡ、ジアリールビスフェノールＡ、ハイドロキノン、カテコール、レゾルシン、クレゾール、テトラブロモビスフェノールＡ、トリヒドロキシビフェニル、ベンゾフェノン、ビスレゾルシノール、ビスフェノールヘキサフルオロアセトン、テトラメチルビスフェノールＡ、テトラメチルビスフェノールＦ、トリス（ヒドロキシフェニル）メタン、ビキシレノール、フェノールノボラック、クレゾールノボラックなどの多価フェノールとエピクロルヒドリンとを反応させて得られるグリシジルエーテル；  グリセリン、ネオペンチルグリコール、エチレングリコール、プロピレングリコール、チレングリコール、ヘキシレングリコール、ポリエチレングリコール、ポリプロピレングリコールなどの脂肪族多価アルコールとエピクロルヒドリンとを反応させて得られるポリグリシジルエーテル；  ｐ−オキシ安息香酸、β−オキシナフトエ酸のようなヒドロキシカルボン酸とエピクロルヒドリンとを反応させて得られるグリシジルエーテルエステル；  フタル酸、メチルフタル酸、イソフタル酸、テレフタル酸、テトラハイドロフタル酸、エンドメチレンテトラハイドロフタル酸、エンドメチレンヘキサハイドロフタル酸、トリメリット酸、重合脂肪酸のようなポリカルボン酸から得られるポリグリシジルエステル；  アミノフェノール、アミノアルキルフェノールから得られるグリシジルアミノグリシジルエーテル；  アミノ安息香酸から得られるグリシジルアミノグリシジルエステル；  アニリン、トルイジン、トリブロムアニリン、キシリレンジアミン、ジアミノシクロヘキサン、ビスアミノメチルシクロヘキサン、４，４′−ジアミノジフェニルメタン、４，４′−ジアミノジフェニルスルホンなどから得られるグリシジルアミン；  エポキシ化ポリオレフィン等の公知のエポキシ樹脂類が挙げられる。
【００５０】
硬化剤としては、酸無水物系硬化剤、イミダゾール化合物系硬化剤、ジシアン系硬化剤、ジアン系硬化剤などを挙げることができる。中でも、硬化物を変色させ難い酸無水物系硬化剤、特に脂環式酸無水物系硬化剤を好ましく使用できる。具体的には、メチルヘキサヒドロフタル酸無水物等を好ましく挙げることができる。
【００５１】
本発明に用いる光反射性異方性導電接着剤３の熱硬化性樹脂組成物３ａにおいて、脂環式エポキシ化合物と脂環式酸無水物系硬化剤とを使用する場合、それぞれの使用量は、脂環式酸無水物系硬化剤が少なすぎると未硬化エポキシ化合物が多くなり、多すぎると余剰の硬化剤の影響で被着体材料の腐食が促進される傾向があるので、脂環式エポキシ化合物１００質量部に対し、脂環式酸無水物系硬化剤を、好ましくは８０〜１２０質量部、より好ましくは９５〜１０５質量部の割合で使用する。
【００５２】
エポキシ系樹脂と酸無水物系硬化剤との当量比（酸無水物当量／エポキシ当量）は、好ましくは０．８５〜１．２、より好ましくは０．９〜１．１である。この範囲であれば、良好な耐熱光特性を実現することができる。
【００５３】
光反射性異方性導電接着剤３には、耐熱光特性向上のために、ＤＢＵ−ｐ−トルエンスルホン酸塩、第４級アンモニウム塩、有機ホスフィン類などの硬化促進剤を、エポキシ系樹脂と酸無水物系硬化剤との合計１００質量部に対し、好ましくは０．１〜５質量部、より好ましくは０．５〜３質量部の割合で配合することができる。
【００５４】
更に、光反射性異方性導電接着剤３には、老化防止剤として、一次酸化防止剤（劣化過程で生成する過酸化ラジカル（ＲＯＯ・）を補足するラジカル連鎖禁止剤、例えば、フェノール系老化防止剤やアミン系老化防止剤）や、二次酸化防止剤（不安定な過酸化物（ＲＯＯＨ）を補足して積極的に分解し安定な化合物に変える過酸化物分解剤、例えば、イオウ系酸化防止剤、リン系酸化防止剤）を配合することができる。このような老化防止剤は、エポキシ系樹脂と酸無水物系硬化剤との合計１００質量部に対し、好ましくは０．１〜５質量部、より好ましくは０．５〜２質量部の割合で配合することができる。
【００５５】
光反射性異方性導電接着剤３には、必要に応じて紫外線吸収剤、カップリング剤、難燃剤等の添加剤を配合してもよい。
【００５６】
本発明に用いる光反射性異方性導電接着剤３は、熱硬化性樹脂組成物３ａと導電粒子３ｂと光反射性絶縁粒子３ｃとを均一に混合することにより製造することができる。また、フィルム状の形態の光反射性異方性導電フィルムとする場合には、それらをトルエン等の溶媒とともに分散混合し、剥離処理したＰＥＴフィルムに所期の厚さとなるように塗布し、約８０℃程度の温度で乾燥すればよい。
【００５７】
以上説明した光反射性異方性導電接着剤の反射特性は、発光素子の発光効率を向上させるために、光反射性異方性導電接着剤の硬化物の波長３８０〜７８０ｎｍの全域に亘って分光反射率（ＪＩＳ  Ｋ７１０５に準拠して測定）が、好ましくは３０％以上であり、より好ましくは５０％以上であり、さらに好ましくは８０％以上であるが、反射特性を簡便に評価する場合には、波長４５０ｎｍの光に対する分光反射率（ＪＩＳ  Ｋ７１０５に準拠して測定）が、好ましくは３０％以上であり、より好ましくは５０％以上であり、さらに好ましくは８０％以上である。このような分光反射率とするためには、使用する光反射性絶縁粒子等の反射特性や配合量、熱硬化性樹脂組成物の配合組成などを適宜調整すればよい。通常、反射特性の良好な光反射性絶縁粒子等の配合量を増量すれば、反射率も増大する傾向がある。
【００５８】
また、光反射性異方性導電接着剤の反射特性は、屈折率という観点から評価することもできる。即ち、その硬化物の屈折率が、導電粒子と光反射性絶縁粒子とを除いた熱硬化性樹脂組成物の硬化物の屈折率よりも大きいと、光反射性絶縁粒子とそれを取り巻く熱硬化性樹脂組成物の硬化物との界面での光反射量が増大するからである。具体的には、光反射性絶縁粒子の屈折率（ＪＩＳ  Ｋ７１４２に準拠して測定）が、熱硬化性樹脂組成物の硬化物の屈折率（ＪＩＳ  Ｋ７１４２に準拠して測定）よりも大きいことが好ましく、両者の差が０．０２以上であることがより好ましく、０．２以上であることがさらに好ましい。なお、通常、エポキシ樹脂を主体とする熱硬化性樹脂組成物の屈折率は約１．５である。
【００５９】
＜工程（Ｂ）＞
工程（Ａ）の後、配線板に対して発光素子を加熱加圧することにより異方性導電接続を行う。具体的には、図１Ｂに示すように、発光素子１を押圧できる位置に、加熱加圧するためのエラストマーヘッド４をセットし、図１Ｃに示すように、エラストマーヘッド４の押圧面４ａを、必要に応じて保護フィルム（図示せず）を介して、発光素子１を配線板２に押し当て、加熱加圧する。これにより、光反射性異方性導電接着剤３を流動させた後硬化させて発光素子１を配線板２に異方性導電接続することができ、図１Ｄに示す発光装置１００を得ることができる。この発光装置１００では、発光素子１が発した光のうち、配線板２側に向かって発した光は、光反射性異方性導電接着剤の硬化物３′中の光反射性絶縁粒子３ｃで反射し、発光装置１００の上面から出射する。従って、発光効率の低下を防止することができる。
【００６０】
この工程で使用するエラストマーヘッド４は、異方性導電接続の際に変形するので、異方性導電接続部の凹凸をキャンセルし、押圧の面内均一性を実現することができる。従って、エラストマーヘッド４の使用により、本願発明の製造方法で、複数の発光素子を配線板に異方性導電接続して発光装置を製造する場合にも、それらの接続用電極の形状や厚みの差異、寸法誤差をキャンセルし、複数の発光素子を配線板に一括して異方性導電接続することができる。また、発光素子１と配線板２との間からはみ出た光反射性異方性導電接着剤３から形成されるフィレット部３ｄを加熱押圧して十分に硬化させることもでき、発光素子１の密着性を向上させることもできる。
【００６１】
特に、本発明においては、エラストマーヘッド４として、その押圧面４ａの硬度がショアＡゴム硬度（ＪＩＳ  Ｋ６２５３（５〜３５℃））４０以上９０未満、好ましくは６５以上８０以下のものを使用する。これは、ショアＡゴム硬度が４０未満では、発光素子に対する圧力が不十分で初期抵抗及び接続信頼性が低下する傾向があり、ショアＡゴム硬度が９０以上では、発光素子に亀裂や欠けが発生する傾向があるからである。よって、ショアＡゴム硬度が４０以上９０未満のエラストマーヘッド４を使用することにより、光反射性絶縁粒子３ｃや導電粒子３ｂを光反射性異方性導電接着剤３に配合しても、異方性導電接続時に発光素子１に亀裂や欠けを生じさせないように加熱押圧することができる。
【００６２】
このようなエラストマーとしては、天然ゴム、合成ゴム、熱硬化性又は熱可塑性エラストマー等のいずれも用いることができるが、耐熱性、耐圧性の観点からは、シリコーンゴム、フッ素系ゴム等を用いることが好ましい。
【００６３】
このようなエラストマーヘッド４は、図１Ｂに示すように、通常、加熱用ヒータ（図示せず）が内蔵されたステンレススチール等の金属ヘッドベース５で保持されている。エラストマーヘッド４の押圧面４ａの大きさは、押圧したときに、発光素子１と配線板２との間からはみ出た光反射性異方性導電接着剤のフィレット部を押圧できる程度の大きさとすることが好ましい。また、エラストマーヘッド４の厚さは、少なくとも発光素子１の最大厚と同等以上であることが好ましい。
【００６４】
なお、異方性導電接続の際の加熱の程度は、接続信頼性等を向上させるために、光反射性異方性導電接着剤３の溶融粘度が好適な範囲となるように、光反射性異方性導電接着剤３を加熱することが好ましい。具体的には、光反射性異方性導電接着剤の溶融粘度が１．０×１０２ｍＰａ・ｓ未満の場合、加熱加圧時のバインダー樹脂の流動性が大きく、ボイドが発生して初期抵抗及び接続信頼性が劣る傾向があり、溶融粘度が１．０×１０５ｍＰａ・ｓより大きい場合、加熱加圧時に接続用電極部分においてバインダー樹脂が排除しきれず、ボイドが発生して初期抵抗及び接続信頼性が劣る傾向があるため、光反射性異方性導電接着剤３を、その溶融粘度が好ましくは１．０×１０２〜１．０×１０５ｍＰａ・ｓ、より好ましくは１．０×１０３〜１．０×１０４ｍＰａ・ｓとなるように加熱することが好ましい。
【００６５】
このような溶融粘度にするために、エラストマーヘッド４の表面温度の設定は、光反射性異方性導電接着剤３の組成等により適宜行うことができ、例えば、エラストマーヘッド４の押圧面４ａの表面温度を５０〜３５０℃となるように加熱する。この場合、発光素子１の周囲のフィレット部に対して十分に加熱してボイドの発生を確実に防止する観点からは、加熱加圧の際に、配線板２側から、配線板２が発光素子１よりも高温となるように加熱することが好ましい。例えば、エラストマーヘッド４の押圧面４ａの表面温度を１００℃程度となるように加熱する一方、光反射性異方導電性接着剤３の温度が２００℃程度になるように配線板２側から加熱することが好ましい。
【００６６】
また、異方性導電接続の際の圧力は、発光素子１の１個当たり、好ましくは２〜５０Ｐａ程度の圧力で、１０〜６０秒程度の時間加圧することが好ましい。
【００６７】
＜工程（Ｃ）＞
図１Ｄに示す、工程（Ｂ）で得られた発光装置１００に対し、図１Ｅに示すように、発光素子１全体を覆うように、透明封止樹脂６を用いて封止してもよい。これにより、耐久性が向上した発光装置１１０となる。この透明封止樹脂６としては、発光素子１の樹脂封止に用いられる一般的な樹脂であれば特に制限されないが、例えば、硬化物の粘着性が低く、経時劣化が少なく、硬化時間が短い等の観点から、シリコーン系又はアクリル系の透明封止樹脂を好ましく使用することができる。
【００６８】
また、樹脂封止の工法も、発光素子の樹脂封止に用いられる一般的な工法であれば特に制限されないが、例えば、キャスティング法、ポッティング法、モールディング法、プリンティング法などの工法が挙げられ、ポッティング法が好ましい。
【実施例】
【００６９】
以下、実施例及び比較例を挙げて、本発明をより具体的に説明する。
【００７０】
実施例１
（光反射性異方性導電接着剤の調製）
主剤として脂環式エポキシ樹脂（２０２１Ｐ、ダイセル化学工業(株)）５０質量部と、硬化剤としてメチルヘキサヒドロフタル酸無水物５０質量部と、導電粒子として平均粒径５μｍのＡｕ被覆樹脂導電粒子（平均粒径４．６μｍの球状アクリル樹脂粒子に０．２μｍ厚の無電解金メッキを施した粒子（ブライト２０ＧＮＢ４．６ＥＨ、日本化学工業（株）））１５質量部と、有機ホスフィン系硬化促進剤（ＴＰＰ−ＢＦ、北興化学工業（株））３質量部と、リン系着色防止剤（ＨＣＡ、三光（株））０．５質量部とからなる熱硬化型エポキシ系異方性導電接着剤に、光反射性絶縁粒子として平均粒径２１０ｎｍの二酸化ケイ素粉末（シーホスター  ＫＥ−Ｅ３０、日本触媒（株））を１５体積％となるように配合し、均一に混合することにより、外観色が白色のペースト状の光反射性異方性導電接着剤を得た。
【００７１】
（発光素子と配線板との異方性導電接続）
１００μｍピッチの銅配線にＮｉ／Ａｕ（５．０μｍ厚／０．３μｍ厚）メッキ処理した所定の形状の配線を有するガラスエポキシ配線板の接続用電極上に、バンプボンダー（ＦＢ７００、カイジョー（株））を用いて１５μｍ高の金バンプを形成した。この金バンプ付きガラスエポキシ配線板に、上記で得た光反射性異方性導電接着剤を適用し、その上に、０．３ｍｍ角で０．１ｍｍ厚の青色ＬＥＤ素子（ピーク波長４５５ｎｍ、定格電流２０ｍＡ、定格電圧３．２Ｖ）２０個を配置し、ショアＡゴム硬度（ＪＩＳ  Ｋ６２５３）６５の押圧面を有するエラストマーヘッド（縦５０ｍｍ×横５０ｍｍ、厚さ１０ｍｍ）を用い、２５０℃（エラストマーヘッド押圧面温度）、３０秒、１Ｎ／チップという条件でフィリップチップ実装し、発光装置としてＬＥＤモジュールを得た。
【００７２】
（透明樹脂封止）
上記で得られた発光装置に対し、付加硬化型メチルシリコーン樹脂（ＫＥＲ２５００、信越化学工業（株））を用いてキャスト法により樹脂封止を行い、透明樹脂封止された発光装置（ＬＥＤモジュール）を得た。
【００７３】
実施例２
光反射性絶縁粒子として、二酸化ケイ素粉末に代えて、平均粒径２２５ｎｍの酸化亜鉛粉末（ＪＩＳ規格酸化亜鉛１種、ハクスイテック（株））を１５体積％で用いること以外、実施例１と同様にして、外観色が白色のペースト状の光反射性異方性導電接着剤を得、更にこの光反射性異方性導電接着剤を用いて透明樹脂封止されたＬＥＤモジュールを得た。
【００７４】
実施例３
光反射性絶縁粒子として、二酸化ケイ素粉末に代えて、平均粒径２１０ｎｍの二酸化チタン粉末（ＫＲ−３８０、チタン工業（株））を１５体積％で用いること以外、実施例１と同様にして、外観色が白色のペースト状の光反射性異方性導電接着剤を得、更にこの光反射性異方性導電接着剤を用いて透明樹脂封止されたＬＥＤモジュールを得た。
【００７５】
実施例４
光反射性絶縁粒子として、二酸化ケイ素粉末に代えて、平均粒径１９０ｎｍの二酸化チタン粉末（ＫＲ−３８０、チタン工業（株））を１５体積％用いること以外、実施例１と同様にして、外観色が白色のペースト状の光反射性異方性導電接着剤を得、更にこの光反射性異方性導電接着剤を用いて透明樹脂封止されたＬＥＤモジュールを得た。
【００７６】
実施例５
光反射性絶縁粒子として、二酸化ケイ素粉末に代えて、平均粒径３００ｎｍの二酸化チタン粉末（ＫＲ−３８０、チタン工業（株））を１５体積％用いること以外、実施例１と同様にして、外観色が白色のペースト状の光反射性異方性導電接着剤を得、更にこの光反射性異方性導電接着剤を用いて透明樹脂封止されたＬＥＤモジュールを得た。
【００７７】
実施例６
光反射性絶縁粒子として、二酸化ケイ素粉末に代えて、平均粒径２１０ｎｍの二酸化チタン粉末（ＫＲ−３８０、チタン工業（株））を５体積％用いること以外、実施例１と同様にして、外観色が白色のペースト状の光反射性異方性導電接着剤を得、更にこの光反射性異方性導電接着剤を用いて透明樹脂封止されたＬＥＤモジュールを得た。
【００７８】
実施例７
光反射性絶縁粒子として、二酸化ケイ素粉末に代えて、平均粒径２１０ｎｍの二酸化チタン粉末（ＫＲ−３８０、チタン工業（株））を２５体積％用いること以外、実施例１と同様にして、外観色が白色のペースト状の光反射性異方性導電接着剤を得、更にこの光反射性異方性導電接着剤を用いて透明樹脂封止されたＬＥＤモジュールを得た。
【００７９】
実施例８
光反射性絶縁粒子として、二酸化ケイ素粉末に代えて、平均粒径２１０ｎｍの二酸化チタン粉末（ＫＲ−３８０、チタン工業（株））を１５体積％用い且つショアＡゴム硬度６０のエラストマーヘッドに代えてショアＡゴム硬度４０のエラストマーヘッドを用いること以外、実施例１と同様にして、外観色が白色のペースト状の光反射性異方性導電接着剤を得、更にこの光反射性異方性導電接着剤を用いて透明樹脂封止されたＬＥＤモジュールを得た。
【００８０】
実施例９
光反射性絶縁粒子として、二酸化ケイ素粉末に代えて、平均粒径２１０ｎｍの二酸化チタン粉末（ＫＲ−３８０、チタン工業（株））を１５体積％用い、且つショアＡゴム硬度６０のエラストマーヘッドに代えてショアＡゴム硬度８０のエラストマーヘッドを用いること以外、実施例１と同様にして、外観色が白色のペースト状の光反射性異方性導電接着剤を得、更にこの光反射性異方性導電接着剤を用いて透明樹脂封止されたＬＥＤモジュールを得た。
【００８１】
実施例１０
光反射性絶縁粒子として、二酸化ケイ素粉末に代えて、以下に説明するように調製した平均粒径１．２μｍの光反射性絶縁粒子を１５体積％使用すること以外、実施例１と同様にして、外観色が白色のペースト状の光反射性異方性導電接着剤を得、更にこの光反射性異方性導電接着剤を用いて透明樹脂封止されたＬＥＤモジュールを得た。
【００８２】
（光反射性絶縁粒子の調製）
攪拌機つきフラスコに粒状銀粒子（平均粒径１μｍ）５ｇとトルエン５０ｍｌとを投入し、攪拌しながらフラスコにシランカップリング剤（３−メタクリロキシプロピルトリエトキシシラン）０．２５ｇを投入し、２５℃で６０分間攪拌した。次に、この混合物に、メタクリル酸メチル２ｇとメタクリル酸−２−ヒドロキシエチル２ｇとベンゾイルパーオキサイド０．０４ｇと２，４−トリレンジイソシアネート１ｇとを投入し、８０℃で１２時間攪拌することにより、光反射性絶縁粒子として絶縁被覆銀粒子を得た。絶縁被覆を含めた光反射性絶縁粒子の平均粒径は１．２μｍであった。この光反射性絶縁粒子の外観色は灰色であった。
【００８３】
実施例１１
Ａｕ被覆樹脂導電粒子に代えて、以下に説明するように調製した平均粒径５μｍの光反射性導電粒子を使用すること以外、実施例１と同様にして、外観色が白色のペースト状の光反射性異方性導電接着剤を得、更にこの光反射性異方性導電接着剤を用いて透明樹脂封止されたＬＥＤモジュールを得た。
【００８４】
（光反射性導電粒子の作成）
平均粒子径０．５μｍの酸化チタン粉末（ＫＲ−３８０、チタン工業（株））４質量部と、外観色が茶色の平均粒径５μｍのＡｕ被覆樹脂導電粒子（平均粒径４．６μｍの球状アクリル樹脂粒子に０．２μｍ厚の無電解金メッキを施した粒子）２０質量部とを、メカノフュージョン装置（ＡＭＳ−ＧＭＰ、ホソカワミクロン（株））に投入し、導電粒子の表面に酸化チタン粒子からなる約０．５μｍ厚の光反射層を成膜することにより、光反射性導電粒子を得た。この光反射性導電粒子の外観色は灰色であった。
【００８５】
比較例１
（異方性導電接着剤の調製）
主剤としてビスフェノールＡ型エポキシ樹脂（エピコート８２８、ＪＥＲ（株））１０質量部と、脂肪族ポリアミン系硬化剤（アデカハードナー  ＥＨ４３５７Ｓ、（株）ＡＤＥＫＡ）１質量部と、導電粒子として平均粒径５μｍのＡｕ被覆樹脂導電粒子（平均粒径４．６μｍの球状アクリル樹脂粒子に０．２μｍ厚の無電解金メッキを施した粒子（ブライト２０ＧＮＢ４．６ＥＨ、日本化学工業（株））１０質量部とからなる、外観色が茶色のペースト状の異方性導電接着剤を得た。
【００８６】
（ＬＥＤ素子と配線板との異方性導電接続）
光反射性異方性導電接着剤に代えて上記で得た異方性導電接着剤を用い且つショアＡゴム硬度が６５のエラストマーヘッドに代えてステンレススチール製の金属ヘッドを用いること以外、実施例１と同様にして透明樹脂封止されたＬＥＤモジュールを得た。
【００８７】
比較例２
光反射性異方性導電接着剤に代えて、上記の比較例１で得た異方性導電接着剤を用いること以外、実施例１と同様にして透明樹脂封止されたＬＥＤモジュールを得た。
【００８８】
比較例３
（異方性導電接着剤の調製）
付加硬化型メチルシリコーン樹脂（ＫＥＲ２５００、信越化学工業（株））１００質量部に、導電粒子として平均粒径５μｍのＡｕ被覆樹脂導電粒子（平均粒径４．６μｍの球状アクリル樹脂粒子に０．２μｍ厚の無電解金メッキを施した粒子（ブライト２０ＧＮＢ４．６ＥＨ、日本化学工業（株））１０質量部を均一に混合することにより、外観色が茶色のペースト状の異方性導電接着剤を得、更にこの光反射性異方性導電接着剤を用いて、実施例１と同様にして透明樹脂封止されたＬＥＤモジュールを得た。
【００８９】
比較例４
光反射性絶縁粒子を配合しないこと以外、実施例１と同様にして、外観色が茶色のペースト状の異方性導電接着剤を得、更にこの光反射性異方性導電接着剤を用いて透明樹脂封止されたＬＥＤモジュールを得た。
【００９０】
比較例５
ショアＡゴム硬度６０のエラストマーヘッドに代えてステンレススチール製の金属ヘッドを用いること以外、実施例１と同様にして、透明樹脂封止されたＬＥＤモジュールを得た。
【００９１】
比較例６
光反射性絶縁粒子として、二酸化ケイ素粉末に代えて、平均粒径２１０ｎｍの二酸化チタン粉末（ＫＲ−３８０、チタン工業（株））を１５体積％用い且つショアＡゴム硬度が６０のエラストマーヘッドに代えてショアＡゴム硬度が９０のエラストマーヘッドを用いること以外、実施例１と同様にして、外観色が白色のペースト状の異方性導電接着剤を得、更にこの光反射性異方性導電接着剤を用いて透明樹脂封止されたＬＥＤモジュールを得た。
【００９２】
＜評価＞
（光反射率評価試験）
実施例及び比較例で得られた異方性導電接着剤を、ガラスエポキシ基板に、１０ｍｍ角で乾燥厚で０．３ｍｍとなるように塗布し、２５０℃で３０秒間加熱して硬化させた。この硬化物に対し、キセノンランプ光源から光で照射し、積分球を用いる分光側色計（ＣＭ３６００ｄ、コニカミノルタ（株））を用いて、波長４５０ｎｍの光に対する反射率（ＪＩＳ  Ｋ７１５０）を、硬化物に垂直な軸と８度の角度の光について測定した。反射率は、実用上３０％以上であることが望まれる。
【００９３】
（ＬＥＤ素子の欠け数の評価）
実施例及び比較例で作成した各ＬＥＤモジュールについて、２０個のＬＥＤ素子の外観を目視観察し、亀裂又は欠けが発生しているＬＥＤ素子の個数をカウントした。得られた結果を表１に示す。なお、「チップの欠け」評価の「０〜１」の意味は、通常は２０個のＬＥＤ素子に亀裂又は欠けが生ずることがないが、極めて稀にチップの欠けが生ずる場合があることを意味する。
【００９４】
（ＬＥＤ素子の接着力評価試験）
実施例及び比較例で作成した各ＬＥＤモジュールにおけるＬＥＤ素子と配線板との接着力として、ＬＥＤモジュールの３００μｍ角ＬＥＤ素子１チップ当たりのダイシェア強度を、ダイシェア強度試験機（ＰＴＲ−１１００、（株）レスカ）を用い、剪断速度２０μｍ／ｓｅｃの条件で測定した。測定は、点灯前の初期状態のＬＥＤモジュールと、８５℃、８５％ＲＨの高温高湿環境下において３００時間連続点灯後のＬＥＤモジュールの２つのサンプルについて行った。得られた結果を表１に示す。ダイシェア強度は、上記の測定方法で測定して、実用上３００ｇｆ／チップ以上、好ましくは４００ｇｆ／チップ以上であることが望まれる。
【００９５】
（全光束量評価試験）
実施例及び比較例で作成した各ＬＥＤモジュールについて、透明性維持性の評価として、全光束測定システム（積分全球）（ＬＥ−２１００、大塚電子（株））を用いて全光束量を測定した（測定条件：Ｉｆ＝２０ｍＡ（定電流制御））。測定は、点灯前の初期状態のＬＥＤモジュールと、８５℃、８５％ＲＨの高温高湿環境下において３００時間連続点灯後のＬＥＤモジュールの２つのサンプルについて行った。得られた結果を表１に示す。全光束量は、上記の測定方法で測定して、実用上２００ｍｌｍ以上、好ましくは３５０ｍｌｍ以上であることが望まれる。
【００９６】
【表１】
0005402804.tif 000002
【００９７】
表１からわかるように、実施例１〜１１で製造した発光装置は、分光反射率が６０％を超える異方性導電接着剤を使用し、ショアＡ硬度が４０以上９０未満のエラストマーヘッドで異方性導電接続を行ったので、ＬＥＤ素子に欠けは生じないか（実施例１〜７及び９〜１１）又は殆ど生じておらず（実施例８）、実用上、問題のない安定した全光束量を示し、また、安定した良好なダイシェア強度を示していた。この安定した良好なダイシェア強度を示していることから、実施例１〜１１で製造した発光装置においては、良好な接続信頼性が実現されていることがわかる。
【００９８】
なお、光反射性絶縁粒子として、絶縁被覆Ａｇ粒子を使用した実施例１０の場合、他の実施例の場合に比べて粒子径が１．２μｍと大きいため、粒子に対して光が正反射ではなく幾何学散乱する割合が増加するものの、そのような光反射性絶縁粒子を使用しない以外は同条件の比較例４に比べて良好な光特性を示した。また、Ａｕ被覆導電粒子の表面に光反射層を設けた光反射性導電粒子を使用した実施例１１の場合、Ａｕ被覆樹脂導電粒子を使用している以外は同条件の実施例３に比べて若干光学特性が低下するものの、Ａｕ被覆樹脂導電粒子を使用しているが光反射性絶縁粒子を使用していない比較例４に比べて良好な光特性を示した。
【００９９】
それに対し、異方性導電接続の際に金属ヘッドで加熱加圧を行った比較例１、５の場合、ＬＥＤ素子に欠けが生じてしまった。エラストマーヘッドのショアＡ硬度が９０である比較例６の場合も、ＬＥＤ素子に欠けが生じていた。
【０１００】
なお、エラストマーヘッドのショアＡ硬度が４０である実施例８の場合、ゴムヘッドが柔軟であるため、ＬＥＤ素子全体を包み込むように加圧される。その結果、ＬＥＤ素子のエッチ部分に負荷がかかる場合があり、一括押圧の場合は極稀にチップ欠けが生ずる場合があったが、チップ欠け発生頻度が極めて低いため、実施例として位置づけることが可能である。従って、異方性導電接続の際にショアＡ硬度４０（実施例８）以上９０未満（比較例６、実施例９）のエラストマーヘッドの使用が必要であることがわかる。
【０１０１】
また、光反射性絶縁粒子を使用しない比較例１〜４の場合、全光束量が不十分であった。従って、光反射性絶縁粒子の使用が必須であることがわかる。
【０１０２】
なお、屈折率が相違する反射性絶縁粒子を使用した実施例１（ＳｉＯ２、屈折率１．４６）、実施例２（ＺｎＯ、１．９〜２．０１）、実施例３（ＴｉＯ２、屈折率２．７２又は２．５２）の場合、屈折率が大きくなるに連れて、分光反射率及びＬＥＤ全光束量が共に向上していることがわかる。
【０１０３】
反射性絶縁粒子の含有量が相違する実施例６（５ｖｏｌ％）、実施例３（１５ｖｏｌ％）及び実施例７（２５ｖｏｌ％）から、光反射性絶縁粒子の含有量が多くなると、樹脂硬化物が硬くなりすぎると同時に脆くなるため、ダイシェア強度が低下する傾向があり、また、含有量が少くなると、全光束量が低下する傾向があることがわかる。なお、含有量が少くなると、ペースト状接着剤としてのハンドリング性が低下する傾向がある。
【０１０４】
比較例３から、異方性導電接着剤の主剤として付加硬化型シリコーン系樹脂を使用すると、脂環式エポキシを使用した場合よりも、ダイシェア強度が低くなり、接続信頼性が低下することがわかる。
【産業上の利用可能性】
【０１０５】
本発明の発光装置の製造方法においては、発光素子を配線板に実装する際に光反射性異方性導電接着剤を用いるため、発光素子の発光効率を低下させることなく、発光素子を配線板に異方性導電接続することができる。また、異方性導電接続の際の加熱加圧のために特定の表面硬度を有するエラストマーヘッドを用いるため、発光素子に亀裂や欠けが発生することを防止しながら、光反射性異方性導電接着剤を用いて優れた接続信頼性の異方性導電接続を行うことができる。よって、本発明の発光装置の製造方法、及びそれにより製造された発光装置は、ＬＥＤ素子等の発光素子を用いる表示用ディスプレイ装置、照明装置、バックライト、検査機器光源等の電子機器及びその製造の分野において有用である。
【符号の説明】
【０１０６】
１  発光素子
２  配線板
３  光反射性異方性導電接着剤
３ａ  熱硬化性樹脂組成物
３ｂ  導電粒子
３ｃ  光反射性絶縁粒子
４  エラストマーヘッド
４ａ  エラストマーヘッドの押圧面
５  ヘッドベース
６  透明封止樹脂
２１  コア粒子
２２  無機粒子
２３  光反射層
２４  熱可塑性樹脂
１００、１１０  発光装置
２００  光反射性導電粒子
３００  多層化光反射性導電粒子
【図１Ａ】
0005402804.tif 000003
【図１Ｂ】
0005402804.tif 000004
【図１Ｃ】
0005402804.tif 000005
【図１Ｄ】
0005402804.tif 000006
【図１Ｅ】
0005402804.tif 000007
【図２Ａ】
0005402804.tif 000008
【図２Ｂ】
0005402804.tif 000009